(57)【要約】【課題】  小型で高ズーム比を有し、特にズーミングに伴う倍率色収差の変動を抑制し、焦点域全域にわたって高い光学性能を得るズームレンズを提供する。【解決手段】  物体側より順に、正の屈折力を有する第１レンズ群Ｇ１、負の屈折力を有する第２レンズ群Ｇ２、開口絞りＳ、正の屈折力を有する第３レンズ群Ｇ３、負の屈折力を有する第４レンズ群Ｇ４、正の屈折力を有する第５レンズ群Ｇ５からなり、広角端から望遠端への変倍の際に、前記第１レンズ群Ｇ１と前記第２レンズ群Ｇ２の間の空気間隔が増大し、前記第２レンズ群Ｇ２と前記第３レンズ群Ｇ３の間の空気間隔が縮小し、前記第３レンズ群Ｇ３と前記第４レンズ群Ｇ４の間の空気間隔は固定もしくは変化し、前記第４レンズ群Ｇ４と前記第５レンズ群Ｇ５の間の空気間隔が変化し、特定の条件式を満足することを特徴とする。【選択図】図４
2020204684.tif 000002
【特許請求の範囲】
【請求項１】
物体側より順に、正の屈折力を有する第１レンズ群Ｇ１、負の屈折力を有する第２レンズ群Ｇ２、開口絞りS、正の屈折力を有する第３レンズ群Ｇ３、負の屈折力を有する第４レンズ群Ｇ４、正の屈折力を有する第５レンズ群Ｇ５からなり、
広角端から望遠端への変倍の際に、前記第１レンズ群Ｇ１と前記第２レンズ群Ｇ２の間の空気間隔が増大し、前記第２レンズ群Ｇ２と前記第３レンズ群Ｇ３の間の空気間隔が縮小し、前記第３レンズ群Ｇ３と前記第４レンズ群Ｇ４の間の空気間隔が変化し、前記第４レンズ群Ｇ４と前記第５レンズ群Ｇ５の間の空気間隔が変化し、
以下の条件式を満足することを特徴とするズームレンズ。
（１）  （１／（１／ｆＷ＿３４＋１／ＤｓＷ）−ＥＷ）／√（ｆＷ×ｆＴ）  ＞  ０
（２）  （１／（１／ｆＴ＿３４＋１／ＤｓＴ）−ＥＴ）／√（ｆＷ×ｆＴ）  ＜  ０
ただし、
ｆＷ：広角端の無限遠合焦時における全系の焦点距離
ｆＴ：望遠端の無限遠合焦時における全系の焦点距離
ｆＷ＿３４：広角端における、前記第３レンズ群Ｇ３と前記第４レンズ群Ｇ４の合成焦点距離
ｆＴ＿３４：望遠端における、前記第３レンズ群Ｇ３と前記第４レンズ群Ｇ４の合成焦点距離
ＤｓＷ：広角端における、前記開口絞りＳから、前記第３レンズ群Ｇ３と前記第４レンズ群Ｇ４の合成系の前側主点までの距離
ＤｓＴ：望遠端における、前記開口絞りＳから、前記第３レンズ群Ｇ３と前記第４レンズ群Ｇ４の合成系の前側主点までの距離
ＥＷ：広角端における、前記第３レンズ群Ｇ３と前記第４レンズ群Ｇ４の合成系の後側主点から、前記第５レンズ群Ｇ５の前側主点までの距離
ＥＴ：望遠端における、前記第３レンズ群Ｇ３と前記第４レンズ群Ｇ４の合成系の後側主点から、前記第５レンズ群Ｇ５の前側主点までの距離
ここで、距離とは物体側から像側へ向かう方向を正とし、光軸上で測るものとする。
【請求項２】
無限遠から近距離へのフォーカシングに際し、前記第４レンズ群Ｇ４が像側に移動することを特徴とする請求項１に記載のズームレンズ。
【請求項３】
前記第４レンズ群Ｇ４は正レンズと負レンズの２枚のレンズで構成されていることを特徴とする請求項１又は２に記載のズームレンズ。
【請求項４】
前記第５レンズ群Ｇ５は下記条件式を満たすことを特徴とする請求項１乃至３のいずれかに記載のズームレンズ。
（３）  ２＜ｆ５／√（ｆＷ×ｆＴ）＜１０
（４）  ０．５＜Ｂ＿５＜１
ただし、
ｆ５：前記第５レンズ群Ｇ５の焦点距離
ｆＷ：広角端の無限遠合焦時における全系の焦点距離
ｆＴ：望遠端の無限遠合焦時における全系の焦点距離
Ｂ＿５：前記第５レンズ群Ｇ５の広角端の無限遠合焦時における倍率
【請求項５】
前記第５レンズ群Ｇ５は最も物体側に正レンズＡを有し、負レンズＢを有し、下記条件式を満足することを特徴とする請求項１乃至４のいずれかに記載のズームレンズ。
（５）  Ｖ＿５Ａ＜５０
（６）  Ｖ＿５Ｂ＞５０
（７）  ΔＰｇＦ＿５Ｂ＞０
ただし、
Ｖ＿５Ａ：前記正レンズＡのアッベ数
Ｖ＿５Ｂ：前記負レンズＢのアッベ数
ΔＰｇＦ＿５Ｂ：前記負レンズＢの異常分散性
【請求項６】
前記第２レンズ群Ｇ２は、最も物体側に下記条件式を満足する負レンズを有することを特徴とする請求項１乃至５のいずれかに記載のズームレンズ
（８）  Ｖ＿２１＞５５
（９）  ΔＰｇＦ＿２１＞０
ただし、
Ｖ＿２１：前記第２レンズ群Ｇ２の最も物体側の負レンズのアッベ数
ΔＰｇＦ＿２１：前記第２レンズ群Ｇ２の最も物体側の負レンズの異常分散性
【発明の詳細な説明】
【技術分野】
【０００１】
本発明はズームレンズ及びそれを有する撮像装置に関し、特に、デジタルカメラ、ビデオカメラ、フィルム用カメラ等の撮像装置に用いられるズームレンズに関するものである。
【背景技術】
【０００２】
近年、デジタルカメラ等の撮像装置に用いられる固体撮像素子は年々高画素化と高精細化が進んでおり、より高画質の光学系が求められている。さらに、ユーザーの多様な用途に答えるため、より小型軽量なズームレンズが求められている。
【０００３】
ズームレンズのうち、最も物体側に正の屈折力のレンズ群を配置し、全体として４つ以上のレンズ群により構成される所謂ポジティブリード型のズームレンズが知られている。
【先行技術文献】
【特許文献】
【０００４】
【特許文献１】特許６３７７３１９号公報
【特許文献２】特許６３４４９６４号公報
【発明の概要】
【発明が解決しようとする課題】
【０００５】
ポジティブリード型のズームレンズは高ズーム比と小型化を達成することが比較的容易とされている。しかしながら高ズーム比になると各レンズ群の移動量が大きくなり、特に倍率色収差のズーム変動が増大し、高ズーム比と高性能を両立することが困難になる。
【０００６】
特許文献１に開示されているズームレンズはバックフォーカスを短くしつつ小型軽量を実現しているものの、像高が小さく、また倍率色収差のズーミングにともなう変動の抑制が不十分であるため、光学性能に課題が残る。
【０００７】
特許文献２に開示されているズームレンズは、ズーミングの際に近軸軸上光線高を一定にしつつ主光線高さを変化させることで、倍率色収差の変動抑制を試みている。しかしながら光学全長が長く、小型軽量化との両立は実現できていない。
【０００８】
本発明はこのような状況に鑑みてなされたものであり、小型で高ズーム比を有し、特にズーミングに伴う倍率色収差の変動を抑制し、焦点域全域にわたって高い光学性能を得るズームレンズを提供することを目的とする。
【課題を解決するための手段】
【０００９】
上記目的を達成するために、本発明を実施の第１の発明は、物体側より順に、正の屈折力を有する第１レンズ群Ｇ１、負の屈折力を有する第２レンズ群Ｇ２、開口絞りＳ、正の屈折力を有する第３レンズ群Ｇ３、負の屈折力を有する第４レンズ群Ｇ４、正の屈折力を有する第５レンズ群Ｇ５からなり、広角端から望遠端への変倍の際に、前記第１レンズ群Ｇ１と前記第２レンズ群Ｇ２の間の空気間隔が増大し、前記第２レンズ群Ｇ２と前記第３レンズ群Ｇ３の間の空気間隔が縮小し、前記第３レンズ群Ｇ３と前記第４レンズ群Ｇ４の間の空気間隔が変化し、前記第４レンズ群Ｇ４と前記第５レンズ群Ｇ５の間の空気間隔が変化し、以下の条件式を満足することを特徴とするズームレンズ。
（１）  （１／（１／ｆＷ＿３４＋１／ＤｓＷ）−ＥＷ）／√（ｆＷ×ｆＴ）  ＞  ０
（２）  （１／（１／ｆＴ＿３４＋１／ＤｓＴ）−ＥＴ）／√（ｆＷ×ｆＴ）  ＜  ０
ただし、
ｆＷ：広角端の無限遠合焦時における全系の焦点距離
ｆＴ：望遠端の無限遠合焦時における全系の焦点距離
ｆＷ＿３４：広角端における、前記第３レンズ群Ｇ３と前記第４レンズ群Ｇ４の合成焦点距離
ｆＴ＿３４：望遠端における、前記第３レンズ群Ｇ３と前記第４レンズ群Ｇ４の合成焦点距離
ＤｓＷ：広角端における、前記開口絞りＳから、前記第３レンズ群Ｇ３と前記第４レンズ群Ｇ４の合成系の前側主点までの距離
ＤｓＴ：望遠端における、前記開口絞りＳから、前記第３レンズ群Ｇ３と前記第４レンズ群Ｇ４の合成系の前側主点までの距離
ＥＷ：広角端における、前記第３レンズ群Ｇ３と前記第４レンズ群Ｇ４の合成系の後側主点から、前記第５レンズ群Ｇ５の前側主点までの距離
ＥＴ：望遠端における、前記第３レンズ群Ｇ３と前記第４レンズ群Ｇ４の合成系の後側主点から、前記第５レンズ群Ｇ５の前側主点までの距離
ここで、距離とは物体側から像側へ向かう方向を正とし、光軸上で測るものとする。
【００１０】
また、本発明を実施の第２の発明は、無限遠から近距離へのフォーカシングに際し、前記第４レンズ群Ｇ４が像側に移動することを特徴とする第１の発明に記載のズームレンズ。
【００１１】
また、本発明を実施する第３の発明は、前記第４レンズ群Ｇ４は正レンズと負レンズの２枚のレンズで構成されていることを特徴とする第１の発明または第２の発明のいずれかに記載のズームレンズ。
【００１２】
また、本発明を実施する第４の発明は、前記第５レンズ群Ｇ５は下記条件式を満たすことを特徴とする第１の発明乃至第３の発明のいずれかに記載のズームレンズ。
（３）  ２＜ｆ５／√（ｆＷ×ｆＴ）＜１０
（４）  ０．５＜Ｂ＿５＜１
ただし、
ｆ５：前記第５レンズ群Ｇ５の焦点距離
ｆＷ：広角端の無限遠合焦時における全系の焦点距離
ｆＴ：望遠端の無限遠合焦時における全系の焦点距離
Ｂ＿５：前記第５レンズ群Ｇ５の広角端の無限遠合焦時における倍率
【００１３】
また、本発明を実施する第５の発明は、前記第５レンズ群Ｇ５は最も物体側に正レンズＡを有し、負レンズＢを有し、下記条件式を満足することを特徴とする第１の発明乃至第４の発明のいずれかに記載のズームレンズ。
（５）  Ｖ＿５Ａ＜５０
（６）  Ｖ＿５Ｂ＞５０
（７）  ΔＰｇＦ＿５Ｂ＞０
ただし、
Ｖ＿５Ａ：前記正レンズＡのアッベ数
Ｖ＿５Ｂ：前記負レンズＢのアッベ数
ΔＰｇＦ＿５Ｂ：前記負レンズＢの異常分散性
【００１４】
また、本発明を実施する第６の発明は、前記第２レンズ群Ｇ２は、最も物体側に下記条件式を満足する負レンズを有することを特徴とする第１の発明乃至第５の発明のいずれかに記載のズームレンズ。
（８）  Ｖ＿２１＞５５
（９）  ΔＰｇＦ＿２１＞０
ただし、
Ｖ＿２１：前記第２レンズ群Ｇ２の最も物体側の負レンズのアッベ数
ΔＰｇＦ＿２１：前記第２レンズ群Ｇ２の最も物体側の負レンズの異常分散性
【発明の効果】
【００１５】
本発明によれば、小型で高ズーム比を有し、特にズーミングに伴う倍率色収差の変動を抑制し、焦点域全域にわたって高い光学性能を得るズームレンズを提供することが可能となる。
【図面の簡単な説明】
【００１６】
【図１】本発明のズームレンズの実施例１の第５レンズ群の構成と各主点位置の模式図
【図２】本発明のズームレンズの倍率色収差補正原理を模式的に表す参考図
【図３】本発明のズームレンズの条件式（１）（２）に用いられる諸量を図示した模式図
【図４】本発明の実施例１に係るズームレンズの無限遠合焦時の広角端におけるレンズ構成図
【図５】本発明の実施例１に係るズームレンズの無限遠合焦時の（ａ）広角端、（ｂ）中間ズーム位置、（ｃ）望遠端における縦収差図
【図６】本発明の実施例１に係るズームレンズの無限遠合焦時の（ａ）広角端、（ｂ）中間ズーム位置、（ｃ）望遠端における横収差図
【図７】本発明の実施例２に係るズームレンズの無限遠合焦時の広角端におけるレンズ構成図
【図８】本発明の実施例２に係るズームレンズの無限遠合焦時の（ａ）広角端、（ｂ）中間ズーム位置、（ｃ）望遠端における縦収差図
【図９】本発明の実施例２に係るズームレンズの無限遠合焦時の（ａ）広角端、（ｂ）中間ズーム位置、（ｃ）望遠端における横収差図
【図１０】本発明の実施例３に係るズームレンズの無限遠合焦時の広角端におけるレンズ構成図
【図１１】本発明の実施例３に係るズームレンズの無限遠合焦時の（ａ）広角端、（ｂ）中間ズーム位置、（ｃ）望遠端における縦収差図
【図１２】本発明の実施例３に係るズームレンズの無限遠合焦時の（ａ）広角端、（ｂ）中間ズーム位置、（ｃ）望遠端における横収差図
【図１３】本発明の実施例４に係るズームレンズの無限遠合焦時の広角端におけるレンズ構成図
【図１４】本発明の実施例４に係るズームレンズの無限遠合焦時の（ａ）広角端、（ｂ）中間ズーム位置、（ｃ）望遠端における縦収差図
【図１５】本発明の実施例４に係るズームレンズの無限遠合焦時の（ａ）広角端、（ｂ）中間ズーム位置、（ｃ）望遠端における横収差図
【発明を実施するための形態】
【００１７】
以下、本発明の実施形態について説明する。尚、ｇ線（波長４３５．８ｎｍ）、Ｆ線（波長４８６．１ｎｍ）、ｄ線（波長５８７．６ｎｍ）、及びＣ線（波長６５６．３ｎｍ）に対する屈折率を、それぞれｎｇ、ｎＦ、ｎｄ、ｎＣとした時、アッベ数Ｖｄ、及び部分分散比ＰｇＦ、異常分散性ΔＰｇＦは以下の式で表される。
Ｖｄ＝（ｎｄ−１）／（ｎＦ−ｎＣ）
ＰｇＦ＝（ｎｇ−ｎＦ）／（ｎＦ−ｎＣ）
ΔＰｇＦ  ＝ＰｇＦ＋０．００１８×Ｖｄ−０．６４８３
【００１８】
本発明のズームレンズは、図４、７、１０及び１３に示すレンズ構成図からわかるように、物体側より順に、正の屈折力を有する第１レンズ群Ｇ１、負の屈折力を有する第２レンズ群Ｇ２、開口絞りＳ、正の屈折力を有する第３レンズ群Ｇ３、負の屈折力を有する第４レンズ群Ｇ４、正の屈折力を有する第５レンズ群Ｇ５からなり、広角端から望遠端への変倍の際に、前記第１レンズ群Ｇ１と前記第２レンズ群Ｇ２の間の空気間隔が増大し、前記第２レンズ群Ｇ２と前記第３レンズ群Ｇ３の間の空気間隔が縮小し、前記第３レンズ群Ｇ３と前記第４レンズ群Ｇ４の間の空気間隔が変化し、前記第４レンズ群Ｇ４と前記第５レンズ群Ｇ５の間の空気間隔が変化し、以下の条件式を満足することを特徴とする。
（１）  （１／（１／ｆＷ＿３４＋１／ＤｓＷ）−ＥＷ）／√（ｆＷ×ｆＴ）  ＞  ０
（２）  （１／（１／ｆＴ＿３４＋１／ＤｓＴ）−ＥＴ）／√（ｆＷ×ｆＴ）  ＜  ０
ただし、
ｆＷ：広角端の無限遠合焦時における全系の焦点距離
ｆＴ：望遠端の無限遠合焦時における全系の焦点距離
ｆＷ＿３４：広角端における、前記第３レンズ群Ｇ３と前記第４レンズ群Ｇ４の合成焦点距離
ｆＴ＿３４：望遠端における、前記第３レンズ群Ｇ３と前記第４レンズ群Ｇ４の合成焦点距離
ＤｓＷ：広角端における、前記開口絞りＳから、前記第３レンズ群Ｇ３と前記第４レンズ群Ｇ４の合成系の前側主点までの距離
ＤｓＴ：望遠端における、前記開口絞りＳから、前記第３レンズ群Ｇ３と前記第４レンズ群Ｇ４の合成系の前側主点までの距離
ＥＷ：広角端における、前記第３レンズ群Ｇ３と前記第４レンズ群Ｇ４の合成系の後側主点から、前記第５レンズ群Ｇ５の前側主点までの距離
ＥＴ：望遠端における、前記第３レンズ群Ｇ３と前記第４レンズ群Ｇ４の合成系の後側主点から、前記第５レンズ群Ｇ５の前側主点までの距離
ここで、距離とは物体側から像側へ向かう方向を正とし、光軸上で測るものとする。
【００１９】
本出願のズームレンズは最も物体側に正レンズ群を有するポジティブリード型の構成をとっている。これにより高ズーム比と小型化を実現できる。
【００２０】
次に本出願の構成上の特徴について詳細に説明する。
一般的にズームレンズは各群の間隔が変化することによって全系の合成焦点距離を変化させている。そのためズームレンズの収差を解析する際には、各群をひとつの薄肉レンズ系とみなし、各群の収差補正分担を考えることが重要である。
【００２１】
また、広角端から望遠端へのズーミングに伴い各群が大きく移動することから、ズームポジションごとに収差が大きく変化する。したがってズームレンズの設計においては、各群が固有に持つ収差と、ズームポジションでの役割とに分けて考えることが重要である。薄肉レンズ系における倍率色収差の寄与は各群の和として参考式１で与えられる。
（参考式１）  Σ（ｈ・ｈｂ・φ／Ｖ）
ただし、
ｈ：近軸軸上光線高さ
ｈｂ：近軸主光線高さ
φ：屈折力
Ｖ：アッベ数
【００２２】
ズームレンズにおいては広角端から望遠端までのズーミング時にｈとｈｂが変動するため、各群の収差補正分担が変化する。特に従来のポジティブリード型のズームレンズは第１レンズ群Ｇ１と第２レンズ群Ｇ２の間隔が変倍時に大きく変化するため、第１レンズ群Ｇ１におけるｈおよび第２レンズ群Ｇ２におけるｈｂの変動が大きい。これによる収差の変動を第３レンズ群Ｇ３以降では補償しづらいために、焦点域全域にわたって倍率色収差を抑制することが難しくなる。
【００２３】
本出願のズームレンズは従来のズームレンズとは異なる収差補正方式を用いている。本出願のズームレンズの実施例１の第５レンズ群Ｇ５の主点位置（主面）を図１に示す。第５レンズ群Ｇ５をテレフォト型にすることで、主点を大きく物体側に位置させている。
【００２４】
入射瞳の中心を通る光線を主光線にとると、第５レンズ群Ｇ５に入射する主光線は、見かけ上は第５レンズ群Ｇ５から見た絞りの像から射出されるものと考えることができる。従って、第５レンズ群Ｇ５の前側主点における主光線高さは、第３レンズ群Ｇ３と第４レンズ群Ｇ４の合成系による開口絞りＳの像と、第５レンズ群Ｇ５の前側主点位置によって、決定される。
【００２５】
機構的には第５レンズ群Ｇ５は第４レンズ群Ｇ４の像側に位置するものの、第５レンズ群Ｇ５の主点が大きく物体側にあるために、第４レンズ群Ｇ４と第５レンズ群Ｇ５の主点間距離は負の値をとっている。広角端において、第５レンズ群Ｇ５から見た開口絞りＳの像よりも物体側に主点を位置させれば、第５レンズ群Ｇ５に入射する主光線高さは負の値をとることができる。他方、望遠端では開口絞りＳの像位置よりも像側に主点を位置させることで、主光線高さは正の値をとることができる。
【００２６】
このように、広角端から望遠端までのズーミング時に第５レンズ群Ｇ５の位置を適切に規定することで、広角端ではｈｂを負の値に、望遠端ではｈｂを正の値にすることができる。これは参考式１に示されるように、倍率色収差の寄与が広角端では負、望遠端では正になることを意味する。つまり、ズーミングに伴う倍率色収差への寄与を符号も含めて柔軟に変化させることができ、各ズーム位置で最適な収差補正が可能となる。
【００２７】
本出願の光学系は次の条件式を満足していることを特徴とする。
（１）  （１／（１／ｆＷ＿３４＋１／ＤｓＷ）−ＥＷ）／√（ｆＷ×ｆＴ）  ＞  ０
（２）  （１／（１／ｆＴ＿３４＋１／ＤｓＴ）−ＥＴ）／√（ｆＷ×ｆＴ）  ＜  ０
ただし、
ｆＷ：広角端の無限遠合焦時における全系の焦点距離
ｆＴ：望遠端の無限遠合焦時における全系の焦点距離
ｆＷ＿３４：広角端における、前記第３レンズ群Ｇ３と前記第４レンズ群Ｇ４の合成焦点距離
ｆＴ＿３４：望遠端における、前記第３レンズ群Ｇ３と前記第４レンズ群Ｇ４の合成焦点距離
ＤｓＷ：広角端における、前記開口絞りＳから、前記第３レンズ群Ｇ３と前記第４レンズ群Ｇ４の合成系の前側主点までの距離
ＤｓＴ：望遠端における、前記開口絞りＳから、前記第３レンズ群Ｇ３と前記第４レンズ群Ｇ４の合成系の前側主点までの距離
ＥＷ：広角端における、前記第３レンズ群Ｇ３と前記第４レンズ群Ｇ４の合成系の後側主点から、前記第５レンズ群Ｇ５の前側主点までの距離
ＥＴ：望遠端における、前記第３レンズ群Ｇ３と前記第４レンズ群Ｇ４の合成系の後側主点から、前記第５レンズ群Ｇ５の前側主点までの距離
ここで、距離とは物体側から像側へ向かう方向を正とし、光軸上で測るものとする。
【００２８】
条件式（１）（２）はそれぞれ広角端と望遠端における第５レンズ群Ｇ５の主平面を通過する近軸主光線高さに関連し、各群が満たすべき条件を規定している。条件式（１）（２）を満たすことで、前述の倍率色収差補正の役割を広角端と望遠端で変えることができ、その変動を良好に抑制できる。
【００２９】
次に、条件式（１）（２）の物理的意味について説明する。
【００３０】
前述したように、第５レンズ群Ｇ５の前側主点における主光線高さは、第３レンズ群Ｇ３と第４レンズ群Ｇ４の合成系による開口絞りＳの像と、第５レンズ群Ｇ５の前側主点位置によって決定される。
【００３１】
開口絞りＳから第５レンズ群までを模式的に図３を示す。なお図３は近軸光線追跡に用いられる一般的な諸量を模式的に表したものであり、実施例の数値とは一致するものではない。
【００３２】
第３レンズ群Ｇ３と第４レンズ群Ｇ４の合成系の後ろ側主点と、当該群による絞りの像までの距離Ｄｓ‘はいわゆるガウスの式を用いて下記のように導出される。
（参考式２）  １／ＤｓＷ‘−１／ＤｓＷ＝１／ｆＷ＿３４
１／ＤｓＷ‘  ＝  １／ｆＷ＿３４＋１／ＤｓＷ
ＤｓＷ‘＝１／（１／ｆＷ＿３４＋１／ＤｓＷ）
【００３３】
第５レンズ群Ｇ５の前側主点を通過する主光線高さが負の値となるためには、絞りの像よりも物体側に主点があればよいから、
（参考式３）  Ｄｓｗ‘＞Ｅｗ
を満たせばよい。
したがって次式が導出される。
１／（１／ｆＷ＿３４＋１／ＤｓＷ）＞  ＥＷ
１／（１／ｆＷ＿３４＋１／ＤｓＷ）−ＥＷ  ＞  ０
【００３４】
ここで、本願の概念は光学系を比例拡大・比例縮小させても同様に成立することから、次のごとく正規化することができる。
（１／（１／ｆＷ＿３４＋１／ＤｓＷ）−ＥＷ）／√（ｆＷ×ｆＴ）  ＞  ０
望遠端においても同様に導出が可能であり、望遠端では主光線高さが正の値になるような条件として、
（１／（１／ｆＴ＿３４＋１／ＤｓＴ）−ＥＴ）／√（ｆＷ×ｆＴ）  ＜  ０
が得られる。
【００３５】
条件式（１）の上限を超えて広角端でｈｂが正になると、広角端での倍率色収差が悪化し好ましくない。条件式（２）の下限を超えて望遠端でｈｂが負になると、望遠端での倍率色収差が悪化し好ましくない。
【００３６】
より望ましくは条件式（１）、（２）の範囲を下記のように定めるのが良い。
（１−２）（１／（１／ｆＷ＿３４＋１／ＤｓＷ）−ＥＷ）／√（ｆＷ×ｆＴ）  ＞  ０．０２５
（２−２）（１／（１／ｆＴ＿３４＋１／ＤｓＴ）−ＥＴ）／√（ｆＷ×ｆＴ）  ＜  −０．１
【００３７】
本出願のズームレンズは、無限遠から近距離へのフォーカシングに際し前記第４レンズ群Ｇ４が像側に移動することを特徴としている。
【００３８】
光線高の低い第４レンズ群Ｇ４でフォーカシングすることで、フォーカス群を軽量化し高速に動作させることができる。また、第４レンズ群Ｇ４のすぐ物体側に正の第３レンズ群Ｇ３があることによって、第４レンズ群Ｇ４から見た開口絞りＳの像を遠くすることができ、フォーカス群駆動時の像倍率変動を抑制することができる。
【００３９】
前記第４レンズ群は正負２枚のレンズで構成することを特徴としている。正レンズと負レンズで色消しすることによって、フォーカシングに伴う軸上色収差・倍率色収差の変動を抑制することができる。さらに色消しのための最小枚数で構成することによって、フォーカス群の軽量化と収差補正を両立することができる。
【００４０】
第５レンズ群Ｇ５は下記の条件式を満足している。
（３）  ２＜ｆ５／√（ｆＷ×ｆＴ）＜１０
（４）０．５＜Ｂ＿５＜１
ただし、
ｆ５：前記第５レンズ群Ｇ５の焦点距離
ｆＷ：広角端の無限遠合焦時における全系の焦点距離
ｆＴ：望遠端の無限遠合焦時における全系の焦点距離
Ｂ＿５：前記第５レンズ群Ｇ５の広角端の無限遠合焦時における倍率
【００４１】
条件式（３）は広角端と望遠端の全系焦点距離の相乗平均に対する第５レンズ群Ｇ５の焦点距離を規定したものである。条件式（３）の上限を超えて第５レンズ群Ｇ５の焦点距離が長くなると、条件式（４）と相俟って、第１レンズ群Ｇ１から第４レンズ群Ｇ４までの合成焦点距離を短くすることが困難になり、全系の大型化を招き好ましくない。条件式（３）の下限を超えて第５レンズ群Ｇ５の焦点距離が短くなると、第４レンズ群Ｇ４と第５レンズ群Ｇ５の間隔が短くなりすぎ、フォーカス群駆動のためのアクチュエータやその他の機構を搭載する空間が不足し好ましくない。
【００４２】
条件式（４）は第５レンズ群Ｇ５の倍率について規定している。条件式（４）の上限を超えて第５レンズ群Ｇ５の倍率の絶対値が大きくなると、第１レンズ群Ｇ１から第４レンズ群Ｇ４までで発生した収差が拡大され、全体としての残存収差が大きくなるので好ましくない。条件式（４）の下限を超えて第５レンズ群の倍率が小さくなると、バックフォーカスの確保が困難になり好ましくない。
【００４３】
より望ましくは条件式（３）、（４）の範囲を下記のように定めるのが良い。
（３−２）２．８＜ｆ５／√（ｆＷ×ｆＴ）＜８．５
（４−２）０．７＜Ｂ＿５＜０．９
【００４４】
第５レンズ群Ｇ５は最も物体側に正レンズＡを有し、負レンズＢを含む構成としている。最も物体側に正レンズを配置することでテレフォト型とすることができ、第５レンズ群Ｇ５の主点を物体側へ位置させることができる。第５レンズ群Ｇ５は下記条件式を満足している。
（５）Ｖ＿５Ａ＜５０
（６）Ｖ＿５Ｂ＞５０
（７）ΔＰｇＦ＿５Ｂ＞０
ただし、
Ｖ＿５Ａ：前記正レンズＡのアッベ数
Ｖ＿５Ｂ：前記負レンズＢのアッベ数
ΔＰｇＦ＿５Ｂ：前記負レンズＢの異常分散性
【００４５】
条件式（５）は正レンズＡの硝材について、条件式（６）と（７）は第５レンズ群Ｇ５の負レンズＢの硝材について規定している。条件式（３）を満足し、倍率色収差の寄与を確保するためには、第５レンズ群Ｇ５全体としてのアッベ数を小さくする必要がある。そのため正レンズにはアッベ数の小さい硝材を、負レンズにはアッベ数の大きい硝材を用い、第５レンズ群Ｇ５全体としてのアッベ数を小さくすることが望ましい。
【００４６】
条件式（５）の上限を超えて正レンズＡのアッベ数が大きくなると、第５レンズ群Ｇ５の倍率色収差への寄与が小さくなりすぎ好ましくない。また、条件式（６）の下限を超えて負レンズＢのアッベ数が小さくなると、第５レンズ群Ｇ５全体としての倍率色収差への寄与が少なくなり、特に望遠端での倍率色収差が悪化し好ましくない。条件式（７）の下限を超えて負レンズＢの異常分散性が小さくなると、倍率色収差の二次スペクトルの補正能力が少なくなり好ましくない。
【００４７】
より望ましくは条件式（５）、（６）、（７）の範囲を下記のように定めるのが良い。
（５−２）Ｖ＿５Ａ＜４５
（６−２）Ｖ＿５Ｂ＞６５
（７−２）ΔＰｇＦ＿５Ｂ＞０．０１
【００４８】
本出願のズームレンズの第２レンズ群Ｇ２は、最も物体側には下記条件式を満足するフレンズを有している。
（８）Ｖ＿２１＞５５
（９）ΔＰｇＦ＿２１＞０
ただし、
Ｖ＿２１：前記第２レンズ群Ｇ２の最も物体側の負レンズのアッベ数
ΔＰｇＦ＿２１：前記第２レンズ群Ｇ２の最も物体側の負レンズの異常分散性
【００４９】
参考式１に示される通り、倍率色収差は近軸主光線高さが高いレンズ群の寄与が大きくなる。第２レンズ群は近軸主光線の変動が大きく、かつパワーが強いため、倍率色収差の変動にも大きな影響を及ぼす。条件式（８）の下限を超えて第２レンズ群の最も物体側のレンズの硝材のアッベ数が大きくなると当該レンズで発生する倍率色収差が大きくなるので好ましくない。条件式（９）の下限を超えて異常分散性が小さくなりすぎると、倍率色収差の二次スペクトルが悪化するので好ましくない。
【００５０】
より望ましくは条件式（８）、（９）の範囲を下記のように定めるのが良い。
（８−２）Ｖ＿２１＞６０
（９−２）ΔＰｇＦ＿２１＞０．００８
【００５１】
次に、本発明の結像光学系に係る実施例のレンズ構成について説明する。なお、以下の説明ではレンズ構成を物体側から像側の順番で記載する。
【００５２】
［面データ］において、面番号は物体側から数えたレンズ面又は開口絞りＳの番号、ｒは各面の曲率半径、ｄは各面の間隔、ｎｄはｄ線（波長λ＝５８７．５６ｎｍ）に対する屈折率、νｄはｄ線に対するアッベ数、ＰｇＦはｇ線とＦ線間の部分分散比を示す。またＢＦはバックフォーカスを表す。
【００５３】
面番号を付した（開口絞り）には、平面または開口絞りＳに対する曲率半径∞（無限大）に記入している。
【００５４】
［非球面データ］には［面データ］において＊を付したレンズ面の非球面形状を与える各係数値を示している。非球面の形状は、光軸に直交する方向への変位をｙ、非球面と光軸の交点から光軸方向への変位（サグ量）をｚ、コーニック係数をＫ、４、６、８、１０、１２次の非球面係数をそれぞれＡ４、Ａ６、Ａ８、Ａ１０、Ａ１２と置くとき、非球面の座標が以下の式で表わされるものとする。
2020204684.tif 000003
【００５５】
［各種データ］には、焦点距離などの値を示している。
【００５６】
［可変間隔データ］には、各撮影距離状態における可変間隔及びＢＦ（バックフォーカス）の値を示している。
【００５７】
［レンズ群データ］には、各レンズ群を構成する最も物体側の面番号及び群全体の合成焦点距離を示している。
【００５８】
なお、以下の全ての諸元の値において、記載している焦点距離ｆ、曲率半径ｒ、レンズ面間隔ｄ、その他の長さの単位は特記のない限りミリメートル（ｍｍ）を使用するが、光学系では比例拡大と比例縮小とにおいても同等の光学性能が得られるので、これに限られるものではない。
【００５９】
また、各実施例に対応する収差図において、ｄ、ｇ、Ｃはそれぞれｄ線、ｇ線、Ｃ線を表しており、ΔＳ、ΔＭはそれぞれサジタル像面、メリジオナル像面を表している。
【００６０】
さらに図４、７、１０、１３に示すレンズ構成図において、Ｓは開口絞り、Ｉは像面、Ｆは光学フィルター、中心を通る一点鎖線は光軸である。
【実施例１】
【００６１】
図４は、本発明の実施例１のズームレンズの広角端での無限遠合焦時におけるレンズ構成図である。実施例１のズームレンズは、物体側から像側へ順に、正の屈折力を有する第１レンズ群Ｇ１と、負の屈折力を有する第２レンズ群Ｇ２と、開口絞りＳと、正の屈折力を有する第３レンズ群Ｇ３と、負の屈折力を有する第４レンズ群Ｇ４と、正の屈折力を有する第５レンズ群Ｇ５から構成される。
【００６２】
第１レンズ群Ｇ１は、物体側から像側へ順に、物体側に凸面を向けた凹メニスカスレンズと両凸レンズの接合レンズと、物体側に凸面を向けた凸メニスカスレンズとから構成される。
【００６３】
第２レンズ群Ｇ２は、物体側から像側へ順に、物体側に凸面を向け両面に非球面を有する凹メニスカスレンズ、両凹レンズ、両凸レンズ、物体側に凹面を向けた凹メニスカスレンズ、両凸レンズから構成される。
【００６４】
第３レンズ群Ｇ３は、物体側から像側へ順に、物体側に凸面を向け両面に非球面を有する凸メニスカスレンズ、両凸レンズ、両凹レンズと凸メニスカスレンズを接合した接合レンズ、両面に非球面を有する両凸レンズ、から構成される。
【００６５】
第４レンズ群Ｇ４は、物体側から像側へ順に、物体側に凹面を向けた凸メニスカスレンズと両凹レンズを接合した接合レンズから構成される。無限遠から至近へのフォーカシング時には第４レンズ群Ｇ４が像面側へ移動する。
【００６６】
第５レンズ群Ｇ５は、物体側から像側へ順に、両凸レンズ、物体側に凸面を向けた凹メニスカスレンズ、物体側に凹面を向けた凹メニスカスレンズ、から構成される。
【００６７】
続いて以下に実施例１に係るズームレンズの諸元値を示す。
数値実施例１
単位：mm
[面データ]
面番号         r           d          nd          vd        PgF
物面            ∞        (d0)
1       136.6048      1.5000     1.73800      32.33     0.59
2        82.7730      7.3116     1.43700      95.10     0.53
3      -890.8231      0.1500
4        65.1502      6.5077     1.49700      81.61     0.54
5       298.0140        (d5)
6*       800.0000      1.5000     1.59201      67.02     0.54
7*        20.0000      6.7341
8       -43.9481      1.5000     1.59282      68.63     0.54
9        40.7553      1.0794
10        92.1584      4.0133     1.67270      32.17     0.60
11       -32.2836      1.1407
12       -21.5281      1.5000     1.83481      42.72     0.56
13      -103.2905      0.1500
14        85.6118      2.5374     1.80000      29.84     0.60
15      -156.5329       (d15)
16（絞り）         ∞      0.1500
17*       20.1681      5.0000     1.49710      81.56     0.54
18*       74.9041      0.9689
19        30.5286      6.8337     1.65844      50.88     0.56
20       -42.6511      1.2415
21       -47.0757      1.5000     1.88300      40.80     0.57
22        14.0650      4.4991     1.43700      95.10     0.53
23       176.7012      0.1500
24*       24.1208      5.5093     1.55332      71.68     0.54
25*      -27.7300       (d25)
26      -119.0554      2.5365     1.77250      49.62     0.55
27       -37.1153      1.5000     1.59410      60.47     0.55
28        26.2360       (d28)
29       223.8293      4.1850     1.65412      39.68     0.57
30       -57.1332      0.1500
31        63.5639      1.5000     1.49700      81.61     0.54
32        34.5938      5.7722
33       -51.7248      1.5000     1.49700      81.61     0.54
34      -197.3965       (d34)
35             ∞      2.5000     1.51680      64.20     0.53
36             ∞        (BF)
像面            ∞
[非球面データ]
6面           7面          17面          18面
K            0.00000       0.00000      -0.37567       0.00000
A4        4.63367E-06  -3.90581E-06   6.77578E-07   8.88294E-06
A6        1.68379E-08   2.00349E-08   6.56792E-09   5.11459E-08
A8        1.46028E-10   2.83537E-10   2.37069E-10   1.45832E-10
A10      -7.21741E-13   1.15068E-12  -1.79088E-12  -1.74255E-12
A12       1.06723E-15   0.00000E+00   0.00000E+00   0.00000E+00
24面          25面
K            0.54217       1.57994
A4       -2.95890E-05   1.34949E-05
A6        2.28153E-08  -2.05420E-08
A8       -9.49428E-11   1.87128E-10
A10      -5.21936E-13  -2.17746E-12
A12       0.00000E+00   0.00000E+00
[各種データ]
ズーム比           7.14
広角          中間          望遠
焦点距離          27.99         71.70        199.93
Fナンバー          3.37          4.67          5.60
全画角2ω         78.26         32.06         11.77
像高Y           21.63         21.63         21.63
レンズ全長        144.99        161.09        220.98
[可変間隔データ]
広角          中間          望遠
d0                ∞            ∞            ∞
d5            1.0000       20.2505       63.5398
d15          30.7294        6.2894        1.5000
d25           1.3636        7.4560        0.1000
d28          10.7867       23.0664       36.4234
d34          18.9926       21.9098       37.2953
BF            1.0000        1.0000        1.0000
[レンズ群データ]
群                始面      焦点距離
G1                  1       121.73
G2                  6       -22.10
G3                 17        26.16
G4                 26       -40.77
G5                 29       630.50
【実施例２】
【００６８】
図７は、本発明の実施例２のズームレンズの広角端での無限遠合焦時におけるレンズ構成図である。実施例１のズームレンズは、物体側から像側へ順に、正の屈折力を有する第１レンズ群Ｇ１と、負の屈折力を有する第２レンズ群Ｇ２と、開口絞りＳと、正の屈折力を有する第３レンズ群Ｇ３と、負の屈折力を有する第４レンズ群Ｇ４と、正の屈折力を有する第５レンズ群Ｇ５から構成される。
【００６９】
第１レンズ群Ｇ１は、物体側から像側へ順に、物体側に凸面を向けた凹メニスカスレンズと両凸レンズの接合レンズと、物体側に凸面を向けた凸メニスカスレンズとから構成される。
【００７０】
第２レンズ群Ｇ２は、物体側から像側へ順に、物体側に凸面を向け両面に非球面を有する凹メニスカスレンズ、両凹レンズ、両凸レンズ、物体側に凹面を向けた凹メニスカスレンズ、両凸レンズから構成される。
【００７１】
第３レンズ群Ｇ３は、物体側から像側へ順に、物体側に凸面を向け両面に非球面を有する凸メニスカスレンズ、両凸レンズと両凹レンズと凸メニスカスレンズを接合した接合レンズと、両面に非球面を有する両凸レンズ、から構成される。
【００７２】
第４レンズ群Ｇ４は、物体側から像側へ順に、物体側に凹面を向けた凸メニスカスレンズと両凹レンズを接合した接合レンズから構成される。無限遠から至近へのフォーカシング時には第４レンズ群Ｇ４が像面側へ移動する。
【００７３】
第５レンズ群Ｇ５は、物体側から像側へ順に、両凸レンズ、物体側に凸面を向けた凹メニスカスレンズ、から構成される。
【００７４】
続いて以下に実施例２に係るズームレンズの諸元値を示す。
数値実施例２
単位：mm
[面データ]
面番号        r        d         nd        vd      PgF
物面           ∞     (d0)
1      125.2573   1.5000    1.74950    35.33    0.58
2       70.8781   6.9294    1.43700    95.10    0.53
3    -1063.3192   0.1500
4       49.8767   6.5701    1.49700    81.61    0.54
5      177.5426     (d5)
6*      367.6915   1.8000    1.59201    67.02    0.54
7*       19.3986   6.0248
8      -74.1540   1.5000    1.59282    68.63    0.54
9       36.0441   1.1037
10      102.0889   2.4560    1.85883    30.00    0.60
11      -91.4849   2.0615
12      -19.5761   1.0000    1.77250    49.60    0.55
13      -49.0447   0.1500
14       77.6596   2.0258    1.92119    23.96    0.62
15    -8388.6479    (d15)
16（絞り）        ∞   1.2000
17*      17.7791   5.1059    1.55332    71.68    0.54
18*     155.9550   1.6189
19       27.9962   3.6876    1.72047    34.71    0.58
20      -59.9631   1.5254    1.90366    31.31    0.59
21       16.3759   3.2384    1.43700    95.10    0.53
22       79.1950   0.2033
23*      38.6427   3.1473    1.55332    71.68    0.54
24*     -32.2859    (d24)
25     -487.6476   2.2077    1.84666    23.78    0.62
26      -49.6745   0.9176    1.83481    42.72    0.56
27       36.0285    (d27)
28       53.9659   4.9366    1.61340    44.27    0.56
29     -104.0372   0.1500
30      768.7535   1.5000    1.59282    68.63    0.54
31       35.2733    (d31)
32            ∞   2.5000    1.51680    64.20    0.53
33            ∞     (BF)
像面           ∞
[非球面データ]
6面           7面          17面          18面
K            0.00000       0.00000       0.00000       0.00000
A4        3.09759E-05   2.97220E-05  -1.23282E-06   1.79331E-05
A6       -1.93921E-07  -1.16817E-07   1.33952E-07   1.85028E-07
A8        1.11693E-09   9.21344E-10  -7.92739E-10  -1.21537E-09
A10      -2.91406E-12  -2.18366E-12   6.03063E-12   6.41296E-12
A12       3.04472E-15   4.07747E-14   0.00000E+00   0.00000E+00
23面          24面
K            0.00000       0.00000
A4       -5.99698E-06   3.42247E-05
A6        2.31109E-07   2.58417E-07
A8        2.81967E-09   3.33545E-09
A10      -2.69163E-11  -1.30629E-11
A12       0.00000E+00  -6.16690E-15
[各種データ]
ズーム比           6.73
広角          中間          望遠
焦点距離          28.84         71.72        194.00
Fナンバー          3.45          5.01          6.31
全画角2ω         76.58         32.05         12.21
像高Y           21.63         21.63         21.63
レンズ全長        126.14        141.54        202.14
[可変間隔データ]
広角          中間          望遠
d0                ∞            ∞            ∞
d5            1.0000       16.3995       51.5407
d15          24.1361        5.0128        1.5000
d24           4.1015       11.1152        1.5000
d27           8.7731       22.0121       37.2428
d31          21.9152       20.7922       44.1426
BF            1.0000        1.0000        1.0000
[レンズ群データ]
群                始面    焦点距離
G1                  1       108.47
G2                  6       -20.07
G3                 17        23.32
G4                 25       -40.43
G5                 28       525.69
【実施例３】
【００７５】
図１０は、本発明の実施例３のズームレンズの広角端での無限遠合焦時におけるレンズ構成図である。実施例１のズームレンズは、物体側から像側へ順に、正の屈折力を有する第１レンズ群Ｇ１と、負の屈折力を有する第２レンズ群Ｇ２と、開口絞りＳと、正の屈折力を有する第３レンズ群Ｇ３と、負の屈折力を有する第４レンズ群Ｇ４と、正の屈折力を有する第５レンズ群Ｇ５から構成される。
【００７６】
第１レンズ群Ｇ１は、物体側から像側へ順に、物体側に凸面を向けた凹メニスカスレンズと凸メニスカスレンズの接合レンズと、物体側に凸面を向けた凸メニスカスレンズとから構成される。
【００７７】
第２レンズ群Ｇ２は、物体側から像側へ順に、物体側に凸面を向け両面に非球面を有する凹メニスカスレンズ、両凹レンズ、両凸レンズ、物体側に凹面を向けた凹メニスカスレンズ、両凸レンズから構成される。
【００７８】
第３レンズ群Ｇ３は、物体側から像側へ順に、両面に非球面を有する両凸レンズ、両凸レンズと両凹レンズを接合した接合レンズ、物体側に凸面を向けた凹メニスカスレンズと物体側に凸面を向けた凸メニスカスレンズを接合した接合レンズ、両面に非球面を有する両凸レンズ、から構成される。
【００７９】
第４レンズ群Ｇ４は、物体側から像側へ順に、物体側に凹面を向けた凸メニスカスレンズと両凹レンズを接合した接合レンズから構成される。無限遠から至近へのフォーカシング時には第４レンズ群Ｇ４が像面側へ移動する。
【００８０】
第５レンズ群Ｇ５は、物体側から像側へ順に、両凸レンズ、物体側に凸面を向けた凹メニスカスレンズ、物体側に凹面を向けた凹メニスカスレンズ、から構成される。
【００８１】
続いて以下に実施例３に係るズームレンズの諸元値を示す。
数値実施例３
単位：mm
[面データ]
面番号      r          d         nd         vd       PgF
物面          ∞      (d0)
1     124.7962    1.5000    1.88300     40.80     0.57
2      61.0332    9.5554    1.43700     95.10     0.53
3    3125.8033    0.1500
4      58.3037    8.7719    1.59282     68.63     0.54
5     474.2550      (d5)
6*     634.5967    1.5000    1.55332     71.68     0.54
7*      16.4360    6.5403
8     -53.7393    1.5000    1.59282     68.63     0.54
9      95.5021    0.7885
10    1329.0836    3.0266    1.74950     35.33     0.58
11     -38.7901    1.4131
12     -21.6919    1.5000    1.77250     49.60     0.55
13     -84.0642    0.1500
14      79.1816    2.1888    1.84666     23.78     0.62
15   -1245.4880     (d15)
16（絞り）       ∞    0.1500
17*     22.6489    5.0000    1.59201     67.02     0.54
18*   -300.7147    4.4559
19      64.7742    2.8318    1.43700     95.10     0.53
20     -77.5083    1.5000    1.90043     37.37     0.58
21     187.3137    0.1500
22      27.6628    1.5000    1.88300     40.80     0.57
23      12.8319    3.7302    1.43700     95.10     0.53
24      32.6366    1.5239
25*     19.5919    5.5754    1.49710     81.56     0.54
26*    -28.0237     (d26)
27     -63.3925    2.1800    1.85883     30.00     0.60
28     -34.5730    1.5000    1.61881     63.85     0.54
29*     25.0535     (d29)
30      81.1179    6.2019    1.61340     44.27     0.56
31     -41.5248    0.1831
32      82.7302    1.5000    1.43700     95.10     0.53
33      32.6457    8.1321
34     -24.7842    1.5000    2.00100     29.13     0.60
35     -35.6811     (d35)
36           ∞    2.5000    1.51680     64.20     0.53
37           ∞      (BF)
像面          ∞
[非球面データ]
6面           7面          17面          18面
K            0.00000       0.00000       0.00000       0.00000
A4       -7.29012E-06  -2.23365E-05  -1.72441E-05  -1.47764E-05
A6        6.74847E-08   1.67744E-08   2.93810E-09   5.35459E-08
A8       -2.41692E-11   4.42883E-10  -4.57932E-10  -5.52245E-10
A10      -3.09660E-13  -3.10103E-12   2.32772E-12   2.84238E-12
A12       5.65804E-16   2.44274E-14   0.00000E+00   0.00000E+00
25面          26面          29面
K            0.00000       0.00000       0.00000
A4       -3.93437E-05  -1.95645E-06  -5.68913E-06
A6        5.93652E-09  -6.93549E-08  -7.94734E-09
A8       -2.94161E-10  -2.75618E-10   5.34648E-11
A10       2.80170E-13  -1.53027E-12   0.00000E+00
A12       0.00000E+00   0.00000E+00   0.00000E+00
[各種データ]
ズーム比           6.73
広角          中間          望遠
焦点距離          28.84         71.88        194.00
Fナンバー          3.51          5.02          5.59
全画角2ω         76.58         31.98         12.12
像高Y           21.63         21.63         21.63
レンズ全長        144.99        155.48        218.59
[可変間隔データ]
広角          中間          望遠
d0                ∞            ∞            ∞
d5            1.0000       16.3693       59.9657
d15          28.8163        4.2426        1.5000
d26           1.5000        8.4013        1.5087
d29           4.5155       10.1341       32.2630
d35          19.4623       26.6306       33.6537
BF            1.0000        1.0000        1.0000
[レンズ群データ]
群                始面    焦点距離
G1                  1       116.05
G2                  6       -21.58
G3                 17        25.32
G4                 27       -31.51
G5                 30       212.32
【実施例４】
【００８２】
図１３は、本発明の実施例４のズームレンズの広角端での無限遠合焦時におけるレンズ構成図である。実施例１のズームレンズは、物体側から像側へ順に、正の屈折力を有する第１レンズ群Ｇ１と、負の屈折力を有する第２レンズ群Ｇ２と、開口絞りＳと、正の屈折力を有する第３レンズ群Ｇ３と、負の屈折力を有する第４レンズ群Ｇ４と、正の屈折力を有する第５レンズ群Ｇ５から構成される。
【００８３】
第１レンズ群Ｇ１は、物体側から像側へ順に、両凹レンズと両凸レンズの接合レンズと、物体側に凸面を向けた凸メニスカスレンズと、物体側に凸面を向けた凸メニスカスレンズ、から構成される。
【００８４】
第２レンズ群Ｇ２は、物体側から像側へ順に、物体側に凸面を向け、両面に非球面を有する凹メニスカスレンズ、物体側に凸面を向けた凹メニスカスレンズ、物体側に凹面を向けた凹メニスカスレンズ、両凸レンズから構成される。
【００８５】
第３レンズ群Ｇ３は、物体側から像側へ順に、物体側に凸面を向けた凸メニスカスレンズ、物体側に凸面を向けた凹メニスカスレンズと両凸レンズを接合した接合レンズ、両凹レンズと物体側に凸面を向けた凸メニスカスレンズを接合した接合レンズ、両面に非球面を有する両凸レンズ、から構成される。
【００８６】
第４レンズ群Ｇ４は、物体側から像側へ順に、物体側に凸面を向けた凸メニスカスレンズと像側の面に非球面を有する両凹レンズを接合した接合レンズから構成される。無限遠から至近へのフォーカシング時には第４レンズ群Ｇ４が像面側へ移動する。
【００８７】
第５レンズ群Ｇ５は、物体側から像側へ順に、両凸レンズ、物体側に凸面を向けた凹メニスカスレンズ、物体側に凹面を向けた凹メニスカスレンズ、から構成される。
【００８８】
続いて以下に実施例４に係るズームレンズの諸元値を示す。
数値実施例４
単位：mm
[面データ]
面番号       r           d        nd        vd     PgF
物面           ∞      (d0)
1     -866.0679    1.5000    1.80610    40.73   0.57
2      271.9885    5.3933    1.49700    81.61   0.54
3     -253.3488    0.1500
4      110.6280    5.6295    1.43700    95.10   0.53
5     1157.4646    0.1500
6       66.0486    5.9884    1.43700    95.10   0.53
7      164.6645      (d7)
8*      406.3632    1.5000    1.59201    67.02   0.54
9*       17.5260    5.5160
10      462.8091    1.5000    1.43700    95.10   0.53
11       49.2457    7.4592
12      -16.9824    1.5000    1.43700    95.10   0.53
13      -62.0018    0.1500
14      204.9091    2.2197    2.00100    29.13   0.60
15     -105.6434     (d15)
16（絞り）        ∞    0.1500
17       21.1771    3.2531    1.73800    32.26   0.59
18       50.6255    0.3338
19       16.9406    1.5000    1.88300    40.80   0.57
20       11.1027    8.4294    1.49700    81.61   0.54
21      -33.4882    0.2952       0.57
23       14.8605    3.7791    1.49700    81.61   0.54
24      217.8918    0.1500
25*      24.2110    4.5792    1.59201    67.02   0.54
26*     -24.4188     (d26)
27     -294.3073    2.1302    1.64769    33.84   0.59
28      -55.8455    1.5000    1.80610    40.73   0.57
29*      35.6472     (d29)
30      119.0218    4.6054    1.72047    34.71   0.58
31      -36.0640    0.1500
32       94.4168    1.5000    1.61997    63.88   0.54
33       41.7736    5.0158
34      -22.1641    1.5000    1.49700    81.61   0.54
35      -71.7260     (d35)
36            ∞    2.5000    1.51680    64.20   0.53
37            ∞      (BF)
像面           ∞
[非球面データ]
8面           9面          25面          26面
K            0.00000       0.00000       0.00000       0.00000
A4        7.67405E-06  -2.50629E-06  -4.12445E-05   5.56873E-06
A6       -1.27470E-08  -1.52577E-08   1.69944E-08  -8.36308E-08
A8        1.22873E-10   1.14418E-10  -5.75485E-10  -3.98087E-10
A10      -3.53622E-13   5.80270E-13   4.44158E-12   0.00000E+00
A12       4.13882E-16   0.00000E+00   0.00000E+00   0.00000E+00
29面
K            0.00000
A4       -1.84083E-06
A6        2.44537E-09
A8       -1.66588E-11
A10       0.00000E+00
A12       0.00000E+00
[各種データ]
ズーム比           6.73
広角          中間          望遠
焦点距離          28.84         72.00        194.00
Fナンバー          3.50          4.56          5.71
全画角2ω         75.57         31.93         12.24
像高Y           21.63         21.63         21.63
レンズ全長        139.12        160.81        224.81
[可変間隔データ]
広角          中間          望遠
d0                ∞            ∞            ∞
d7            1.0000       26.4004       69.3389
d15          24.9357        4.1011        0.1500
d26           1.7991        8.2240        1.2259
d29           4.0000        6.6813       17.5647
d35          24.1346       32.1457       53.2770
BF            1.0000        1.0000        1.0000
[レンズ群データ]
群                始面    焦点距離
G1                  1       132.25
G2                  8       -21.80
G3                 17        25.68
G4                 27       -35.95
G5                 30       211.51
【００８９】
以下に上記の各実施例に対応する条件式対応値を示す。
[条件式対応値]
条件式           実施例1  実施例2  実施例3  実施例4
(1)       ※１              0.17     0.03     0.03     0.03
(2)       ※２             -0.16    -0.34    -0.34    -0.15
(3) ｆ５／√（ｆＷ×ｆＴ）  8.43     7.03     2.84     2.83
(4)      Ｂ＿５             0.89     0.90     0.73     0.73
(5)     Ｖ＿５Ａ           39.68    44.27    44.27    34.71
(6)     Ｖ＿５Ｂ           81.60    68.63    95.10    81.61
(7)  ΔＰｇＦ＿５Ｂ         0.04     0.02     0.05     0.04
(8)     Ｖ＿２１           67.02    67.02    71.68    67.02
(9)  ΔＰｇＦ＿２１         0.01     0.01     0.02     0.01
※１  （１／（１／ｆＷ＿３４＋１／ＤｓＷ）  ―  ＥＷ）／√（ｆＷ×ｆＴ）
※２  （１／（１／ｆＴ＿３４＋１／ＤｓＴ）  ―  ＥＴ）／√（ｆＷ×ｆＴ）
【符号の説明】
【００９０】
Ｇ１    第１レンズ群
Ｇ２    第２レンズ群
Ｇ３    第３レンズ群
Ｇ４    第４レンズ群
Ｇ５    第５レンズ群
Ｓ      開口絞り
Ｆ      フィルター
Ｉ      像面
【図１】
2020204684.tif 000004
【図２】
2020204684.tif 000005
【図３】
2020204684.tif 000006
【図４】
2020204684.tif 000007
【図５（ａ）】
2020204684.tif 000008
【図５（ｂ）】
2020204684.tif 000009
【図５（ｃ）】
2020204684.tif 000010
【図６（ａ）】
2020204684.tif 000011
【図６（ｂ）】
2020204684.tif 000012
【図６（ｃ）】
2020204684.tif 000013
【図７】
2020204684.tif 000014
【図８（ａ）】
2020204684.tif 000015
【図８（ｂ）】
2020204684.tif 000016
【図８（ｃ）】
2020204684.tif 000017
【図９（ａ）】
2020204684.tif 000018
【図９（ｂ）】
2020204684.tif 000019
【図９（ｃ）】
2020204684.tif 000020
【図１０】
2020204684.tif 000021
【図１１（ａ）】
2020204684.tif 000022
【図１１（ｂ）】
2020204684.tif 000023
【図１１（ｃ）】
2020204684.tif 000024
【図１２（ａ）】
2020204684.tif 000025
【図１２（ｂ）】
2020204684.tif 000026
【図１２（ｃ）】
2020204684.tif 000027
【図１３】
2020204684.tif 000028
【図１４（ａ）】
2020204684.tif 000029
【図１４（ｂ）】
2020204684.tif 000030
【図１４（ｃ）】
2020204684.tif 000031
【図１５（ａ）】
2020204684.tif 000032
【図１５（ｂ）】
2020204684.tif 000033
【図１５（ｃ）】
2020204684.tif 000034